【手続補正書】
【提出日】平成29年8月31日(2017.8.31)
【手続補正１】
【補正対象書類名】特許請求の範囲
【補正対象項目名】請求項１
【補正方法】変更
【補正の内容】
【請求項１】
配電変圧器に接続された高圧線から柱上変圧器を介して接続された複数の低圧線を有し、電力供給側を電源側とし電力受電側を負荷側とし、前記高圧線から前記低圧線に電力を供給する配電系統の前記高圧線及び前記低圧線の断線を検出する配電系統断線検出システムにおいて、
前記低圧線から引込線を介して接続される各需要家の受電端に設けられ少なくとも電圧値を計測し計測した電圧値を送信する機能を有した計器と、
前記計器で計測された電圧値を受信し前記計器の電圧値に基づいて前記高圧線の断線箇所を探索する高圧線断線箇所探索部と、
前記計器で計測された電圧値を受信し前記計器の電圧値に基づいて前記低圧線の断線箇所を探索する低圧線断線箇所探索部とを備え、
前記高圧線断線箇所探索部は、前記配電線の断線の検出要求があったときに起動され、前記低圧線の末端計器の電圧値を判定し、前記低圧線の末端計器の電圧値が異常であるときはその低圧線の柱上変圧器を電圧異常変圧器とし、前記低圧線の末端計器の電圧値が正常であるときはその低圧線の柱上変圧器を電圧正常変圧器とし、隣接する最も前記負荷側の前記電圧正常変圧器と最も前記電源側の前記電圧異常変圧器との間の高圧線に断線の可能性があると判定し、
前記低圧線断線箇所探索部は、前記高圧線断線箇所探索部で前記電圧異常変圧器が１以下であるときに起動され、前記低圧線に接続される計器の電圧値を判定し、電圧値が異常である計器を電圧異常計器とし、電圧値が正常である計器を電圧正常計器とし、隣接する最も前記負荷側の前記電圧正常計器と最も前記電源側の前記電圧異常計器との間の低圧線に断線の可能性があると判定することを特徴とする配電系統断線検出システム。
【手続補正２】
【補正対象書類名】特許請求の範囲
【補正対象項目名】請求項４
【補正方法】変更
【補正の内容】
【請求項４】
前記高圧線断線箇所探索部は、前記配電系統が前記柱上変圧器として電灯変圧器のみを接続した電灯配電系統である場合には、前記負荷側から前記電源側に向けて前記低圧線の末端計器の電圧値を順番に判定し、隣接する最も前記負荷側の前記電圧正常変圧器と最も前記電源側の前記電圧異常変圧器との間の高圧線に断線の可能性があると判定した後に、前記電圧正常変圧器より前記電源側の前記低圧線の末端計器の電圧値を確認して前記電源側に新たな電圧異常変圧器があるか否かを確認し、新たな電圧異常変圧器がない場合は、先に判定した隣接する最も前記負荷側の前記電圧正常変圧器と最も前記電源側の前記電圧異常変圧器との間の高圧線に断線があると判定し、新たな電圧異常変圧器がある場合は、再度、隣接する最も前記負荷側の前記電圧正常変圧器と最も前記電源側の前記電圧異常変圧器とを探索することを特徴とする請求項１乃至３のいずれか１項に記載の配電系統断線検出システム。
【手続補正３】
【補正対象書類名】明細書
【補正対象項目名】００７１
【補正方法】変更
【補正の内容】
【００７１】
そして、最も負荷側の電圧正常計器と最も電源側の電圧異常計器とが隣接するか否かを判定する。最も負荷側の電圧正常計器は計器Ｓｅ１であり、最も電源側の電圧異常計器は計器Ｓｅ２であり、計器Ｓｅ１と計器Ｓｅ２とは隣接しているので、その間の低圧線１６ｅに断線があると判定する。
【手続補正４】
【補正対象書類名】明細書
【補正対象項目名】００７２
【補正方法】変更
【補正の内容】
【００７２】
図６（ｂ）において、高圧線における負荷側末端の低圧線１６ｆ末端の計器Ｓｆ４は高圧線断線箇所探索部１７により既に正常であると判定されているので、低圧線断線箇所探索部２０は、すべての低圧線末端の計器Ｓの電圧を確認する。図６（ｂ）では計器Ｓｅ２の引込線で断線しているので、すべての低圧線１６末端の計器Ｓの電圧は正常である。すべての低圧線１６末端の計器Ｓの電圧は正常であることから、引込線の断線または柱上ヒューズ切れと考えられるため、未確認の低圧線１６の計器Ｓの電圧を確認する。ここでは、計器Ｓｆ４より１つ電源側の計器Ｓｆ３の電圧を取得し電圧の正常異常を判定する。計器Ｓｆ３の引込線で断線していないので計器Ｓｆ３の電圧は正常である。以下、同様に低圧線１６ｆ末端の計器Ｓｆ３より電源側の計器Ｓｆ２、計器Ｓｆ１の電圧を取得し電圧の正常異常を判定する。計器Ｓｆ２、Ｓｆ１の引込線で断線していないので計器Ｓｆ２、Ｓｆ１の電圧は正常である。低圧線１６ｆの計器Ｓｆ１〜Ｓｆ４がすべて正常であるので、高圧線における次の電源側の低圧線１６ｅの計器Ｓの電圧を取得し電圧の正常異常を判定する。低圧線１６ｅ末端の計器Ｓｅ４は既に正常であると判定されているので、計器Ｓｅ４より１つ電源側の計器Ｓｅ３の電圧を取得し電圧の正常異常を判定する。計器Ｓｅ３の引込線で断線していないので計器Ｓｅ３の電圧は正常である。以下、同様に低圧線１６ｅの計器Ｓｅ３より電源側の計器Ｓｅ２の電圧を取得し電圧の正常異常を判定する。ここで、計器Ｓｅ２は引込線の箇所Ｆｇで断線しているので、計器Ｓｅ２の電圧は異常となる。従って、低圧線断線箇所探索部２０は計器Ｓｅ２の引込線または柱上ヒューズの断線であると判定する。
【手続補正５】
【補正対象書類名】明細書
【補正対象項目名】００９７
【補正方法】変更
【補正の内容】
【００９７】
図９（ｂ）に示すように、Ｒ相の箇所Ｆ２で断線が発生した場合には、断線箇所Ｆ２より負荷側の柱上変圧器１５ｄ、１５ｅは電圧異常電灯変圧器となるが、柱上変圧器１５ｆは電圧異常電灯変圧器とならない。これは、柱上変圧器１５ｄ、１５ｅは断線が発生したＲ相に接続されているが、柱上変圧器１５ｆは断線が発生したＲ相に接続されていないからである。このように、柱上変圧器１５が電灯変圧器である場合には、負荷側末端の低圧線の電灯計器が正常であり負荷側末端の柱上変圧器１５ｆが電圧正常電灯変圧器であっても、その電源側の柱上変圧器１５ｅ、１５ｄが電圧異常電灯変圧器となることがある。これは、電灯変圧器は高圧線の３相から低圧側に１線間を取り出し、低圧側の低圧線には１線間で電力が供給されることから、断線が発生した相に接続されていない電灯負荷の場合には、断線発生箇所より負荷側の柱上変圧器であっても電圧正常電灯変圧器となるからである。
【手続補正６】
【補正対象書類名】明細書
【補正対象項目名】０１００
【補正方法】変更
【補正の内容】
【０１００】
図９（ｃ）の場合、先に、隣接する最も負荷側の電圧正常電灯変圧器１５ｅと最も電源側の電圧異常電灯変圧器１５ｆが検出されたとしても、その電源側に、隣接する最も負荷側の電圧正常電灯変圧器１５ｂと最も電源側の電圧異常電灯変圧器１５ｃが存在するので、その電源側に電圧異常電灯変圧器が存在するか否かを判定する探索ロジックとすることが必要となる。
【手続補正７】
【補正対象書類名】明細書
【補正対象項目名】０１０６
【補正方法】変更
【補正の内容】
【０１０６】
ステップＵ３Ａの判定で、高圧線幹線、分岐線の電灯計器の電圧が異常である場合には、最も電源側の電圧異常電灯変圧器または最も負荷側の電圧正常電灯変圧器の位置情報を更新する（Ｕ６）。ステップＵ６では、最初に電灯計器の電圧が異常であると判定された段階では、電圧正常電灯変圧器の情報はないので、最も負荷側の電圧正常電灯変圧器の位置情報の更新は行われない。そして、最も電源側の電圧異常電灯変圧器及び最も負荷側の電圧正常電灯変圧器は隣接位置であるか否かを判定する（Ｕ７）。最初に電灯計器の電圧が異常であると判定された段階では、電圧正常電灯変圧器の情報はないので、ステップＵ８に進む。